(57)【要約】【解決手段】指針５６に投光手段１０２を備え、この投光手段１０２の光を文字表示板５１に投射し、この文字表示板５１に指針５６が移動する光のグラデーション１０６を形成する車両用メータにおいて、文字表示板５１に、投光手段１０２からの光を受けさせる凹溝１３３を備えた。【効果】文字表示板に、投光手段からの光を受けさせる凹溝を備えたので、光のグラデーションを際立てさせることができる。この結果、車両用メータにダイナミックな躍動感を演出できるとともに、車両用メータ装置を精悍なイメージにすることができる。【選択図】　　　　図５
2004045131.tif 000002
【特許請求の範囲】
【請求項１】
指針に投光手段を備え、この投光手段の光を文字表示板に投射し、この文字表示板に前記指針が移動する光の残像を発生させ、光のグラデーションを形成する車両用メータにおいて、
前記文字表示板に、前記投光手段からの光を受けさせる凹溝を備えたことを特徴とする車両用メータ。
【請求項２】
前記凹溝の底に、前記投光手段からの光を反射させる反射板を設けたことを特徴とする請求項１記載の車両用メータ。
【発明の詳細な説明】
【０００１】
【発明の属する技術分野】
本発明は、速度表示、エンジン回転数表示や積算距離表示などをする車両用メータ装置に関する。
【０００２】
【従来の技術】
メータ照明は、夜間の視認性を向上する目的で使用することが一般的であったが、近年、メータの表面を黒くし、非動作時は黒く見せ、動作時は、昼間でも照明により発光させ、高級感を演出する目的で使用されることがある。また、このような車両用メータの中に、躍動感を加える試みがなされたものもある。この車両用メータの一例を次図に示す。
【０００３】
図６は従来の車両用メータの説明図である。
従来の車両用メータ２００は、文字表示のための文字表示板２０１と、この文字表示板２０１を指し示す指針２０２と、この指針２０２に取付けることで文字表示板２０１に光の残像を発生させて、光のグラデーション２０３を発生させる投光手段２０４とから構成する。
指針２０２を白抜き矢印の如く回転させるときに、指針２０２に取付けた投光手段２０４で光の残像を発生させて光のグラデーション２０３を形成し、車両用メータ２００に動きの演出を施したものである。
なお、２０５は文字表示板２０１を照明する文字板照明手段、２０６は指針２０２自体を照明する指針照明手段を示す。
【０００４】
以下、光のグラデーションとは、指針が動くことで指針の光が文字表示板に残り、残像として認識される光の帯を言う。
【０００５】
【発明が解決しようとする課題】
しかし、上記の車両用メータ２００では、投光手段２０４から投射する光が文字表示板２０１で広がり、光のグラデーション２０３がくっきりとした輪郭を描かないこともある。例えば、車両用メータ２００にダイナミックで躍動感を演出しようとしても、十分に躍動感を表現できないこともある。すなわち、光のグラデーション２０３を際立てさせたいものである。
【０００６】
そこで、本発明の目的は、光のグラデーションを際立てさせ、ダイナミックで躍動感のある、精悍な車両用メータを提供することにある。
【０００７】
【課題を解決するための手段】
上記目的を達成するために請求項１は、指針に投光手段を備え、この投光手段の光を文字表示板に投射し、この文字表示板に指針が移動する光の残像を発生させ、光のグラデーションを形成する車両用メータ装置において、文字表示板に、投光手段からの光を受けさせる凹溝を備えたことを特徴とする。
【０００８】
指針に投光手段を備え、この投光手段の光を文字表示板に投射し、この文字表示板に指針が移動する光の残像を発生させ、光のグラデーションを際立てさせることができるとすれば好ましいことである。
そこで、文字表示板に、投光手段からの光を受けさせる凹溝を備えた。この凹溝に投光手段の光を投射することで、光のグラデーションを際立てさせることができる。この結果、車両用メータにダイナミックな躍動感を演出できるとともに、車両用メータ装置を精悍なイメージにすることができる。
【０００９】
請求項２は、凹溝の底に、投光手段からの光を反射させる反射板を設けたことを特徴とする。
凹溝の底に、投光手段からの光を反射させる反射板を設けることで、投光手段で投光した光を反射させ、光のグラデーションを強調することができる。この結果、車両用メータの意匠の向上を図ることができる。
【００１０】
【発明の実施の形態】
本発明の実施の形態を添付図に基づいて以下に説明する。なお、「前」、「後」、「左」、「右」、「上」、「下」は運転者から見た方向に従い、Ｆｒは前側、Ｒｒは後側、Ｌは左側、Ｒは右側を示す。また、図面は符号の向きに見るものとする。
【００１１】
図１は本発明に係る車両用メータを搭載した車室の斜視図であり、図中、１０は車両、１１は車室、１２はインストルメントパネル、１３はフロントガラス、１４はフロントピラー、１５はグローブボックス、１６はシフトレバー、１７はサイドブレーキ、１８はハンドル、２１はイグニッションスイッチ、２２はイグニッションキー、２３はドア、２４はドアロック、２５はドアスイッチ、２６は時計を示す。
本発明に係る車両用メータは、インストルメントパネル２１に収納するメータであって、後述するように、メータの指針が移動するときに光のグラデーション（残像域）を発生させ、このグラデーションをくっきり見せる工夫をしたものである。
【００１２】
図２は本発明に係る車両用メータの正面図であり、車両用メータ装置３０は、車両情報、時刻情報若しくは運転環境情報などを表示するメータ表示部３１と、このメータ表示部３１を収納するハウジング３２と、このハウジング３２に被せることでメータ表示部３１を透過させつつ覆う透明カバー３３とからなる。
【００１３】
メータ表示部３１は、車速を表示する車両用メータとしてのスピードメータ３５と、エンジンの回転数を表示する車両用メータとしてのタコメータ３６と、冷却水の温度を表示する水温計３７と、燃料の残量を表示する燃料表示計３８と、オド表示、トリップ表示又は外気温を組合わせ表示する表示ディスプレイとしての液晶表示部３９と、この液晶表示部３９の表示組合わせ表示内容を切換える切換えスイッチ４１と、警告又は注意を促すワーニングマーク類４２と、スピードメータ３５、タコメータ３６、水温計３７、燃料表示計３８、液晶表示部３９を照明する照明手段４４と、から構成する。
【００１４】
図中、４６はメータ表示部３１の図形若しくは文字を表示する一体文字表示板であり、スピードメータ３５の文字表示板５１、タコメータ３６の文字表示板５２、水温計３７の文字表示板５３、燃料表示計３８の文字表示板５４、液晶表示部３９の表示窓５５及びワーニングマーク類４２を一体的に形成したものである。
また、５６はスピードメータ３５の指針、５７はタコメータ３６の指針、５８は水温計３７の指針、５９は燃料表示計３８の指針を示す。
【００１５】
図３は本発明に係る車両用メータの照明手段のブロック図であり、照明手段４４は、文字表示板５１〜５４を照明する文字板照明手段６１と、指針５６〜５９を照明する指針照明手段６２と、液晶表示部３９を照明する液晶照明用ＬＥＤ（発光ダイオード）６３とから構成する。
【００１６】
文字板照明手段６１は、スピードメータ３５の文字表示板５１を照明する文字用ＬＥＤ群６５と、タコメータ３６の文字表示板５２を照明する文字用ＬＥＤ群６７と、水温計３７の文字表示板５３を照明する文字用ＬＥＤ群７１と、燃料表示計３８の文字表示板５４を照明する文字用ＬＥＤ群７２と、からなる。
ここで、文字用ＬＥＤ群６５，６７は緑色ＬＥＤを用い、文字用ＬＥＤ群７１，７２はアンバー色ＬＥＤを用いるものとする。
【００１７】
指針照明手段６２は、スピードメータ３５の指針５６を照明する指針用ＬＥＤ群７５と、タコメータ３６の指針５７を照明する指針用ＬＥＤ群７７と、水温計３７の指針５８を照明する指針用ＬＥＤ群８１と、燃料表示計３８の指針５９を照明する指針用ＬＥＤ群８２と、からなる。
【００１８】
次に、スピードメータ（車両用メータ）３５の構造を説明する。
図４は本発明に係る車両用メータの側面断面図であり、スピードメータ３５は、ハウジング３２に支持させた基板８４と、この基板８４に取付けたメータ本体８５と、このメータ本体８５に取付けた指針５６と、この指針５６の示す位置で車速を表示する文字表示板５１と、この文字表示板５１を照明する文字用照明ＬＥＤ群６５と、これらの文字用照明ＬＥＤ群６５の光を文字表示板５１に導く文字板導光体８６と、この文字板導光体８６を囲むことで文字用照明ＬＥＤ群６５の光漏れを防止するとともに反射板の役目をなす照明ケース８７と、指針５６を照明する指針用照明ＬＥＤ群７５と、これらの指針用照明ＬＥＤ群７５の光を指針５６に導く指針導光体８８と、この指針導光体８８と文字板導光体８６とを仕切る仕切り部材８９とからなる。
【００１９】
指針５６は、文字表示板５１に光の残像を発生させ、光のグラデーション１０６を発生させる投光手段１０２を備える。
【００２０】
なお、図２に示すタコメータ３６、水温計３７及び燃料表示計３８は、スピードメータ３５に略同一構造の計器であり、詳細な説明を省略する。ただし、水温計３７及び燃料表示計３８には、光のグラデーション１０６を発生させる投光手段はないものとする。
また、基板８４は、スピードメータ３５、タコメータ３６、水温計３７、燃料表示計３８及び液晶表示部３９を搭載した一枚基板である。
【００２１】
文字表示板５１は、投光手段１０２からの光を受けさせる凹溝１３３を形成し、この凹溝１３３に投光手段１０２の光を反射させる反射板１３５を設けた。
【００２２】
図５（ａ），（ｂ）は本発明に係る車両用メータの作用説明図である。
（ａ）において、スピードメータ３５の側面断面図を示し、スピードメータ（車両用メータ）３５は、指針５６に投光手段１０２を備え、この投光手段１０２の光を文字表示板５１に投射し、この文字表示板５１に指針５６が移動する光のグラデーション１０６を形成する車両用メータにおいて、文字表示板５１に、投光手段１０２からの光を受けさせる凹溝１３３を備えたものであるとも言える。
【００２３】
指針に投光手段を備え、この投光手段の光を文字表示板に投射し、この文字表示板に指針が移動する光の残像を発生させ、光のグラデーションをくっきりと見せることができるとすれば好ましいことである。
そこで、文字表示板５１に、投光手段１０２からの光を受けさせる凹溝１３３を備えた。この凹溝１３３に投光手段１０２の光を投射することで、光のグラデーション１０６をくっきりと見せることができる。この結果、スピードメータ（車両用メータ）３５に躍動感を持たせることができるとともに、スピードメータ３５を精悍なイメージにすることができる。
【００２４】
（ｂ）において、スピードメータ（車両用メータ）３５は、凹溝１３３の底１３４に、投光手段１０２からの光を反射させる反射板１３５を設けたものであると言える。
凹溝１３３の底１３４に、投光手段１０２からの光を反射させる反射板１３５を設けることで、投光手段１０２で投光した光を反射させ、光のグラデーション１０６を強調することができる。この結果、スピードメータ（車両用メータ）３５の意匠の向上を図ることができる。
【００２５】
尚、実施の形態では図４に示すように、車両用メータをスピードメータ３５として説明したが、これに限るものではなく、車両用メータはタコメータ３６であってもよい。また、車両用メータ装置３０において、スピードメータ３５にグラデーションを発生させるものでもよく、タコメータ３６にグラデーションを発生させるものでもよく、スピードメータ３５、タコメータ３６の双方にグラデーションを発生させるものでもよい。
【００２６】
【発明の効果】
本発明は上記構成により次の効果を発揮する。
請求項１では、文字表示板に、投光手段からの光を受けさせる凹溝を備えたので、光のグラデーションを際立てさせることができる。この結果、車両用メータにダイナミックな躍動感を演出できるとともに、車両用メータ装置を精悍なイメージにすることができる。
【００２７】
請求項２では、凹溝の底に、投光手段からの光を反射させる反射板を設けたので、投光手段で投光した光を反射させ、光のグラデーションを強調することができる。この結果、車両用メータの意匠の向上を図ることができる。
【図面の簡単な説明】
【図１】本発明に係る車両用メータを搭載した車室の斜視図
【図２】本発明に係る車両用メータの正面図
【図３】本発明に係る車両用メータの照明手段のブロック図
【図４】本発明に係る車両用メータの側面断面図
【図５】本発明に係る車両用メータの作用説明図
【図６】従来の車両用メータの説明図
【符号の説明】
１０…車両、３０…車両用メータ装置、３５…車両用メータ（スピードメータ）、３６…車両用メータ（タコメータ）、５１…文字表示板、５６…指針、１０２…投光手段、１０６…光のグラデーション。
【図１】
2004045131.tif 000003
【図２】
2004045131.tif 000004
【図３】
2004045131.tif 000005
【図４】
2004045131.tif 000006
【図５】
2004045131.tif 000007
【図６】
2004045131.tif 000008